(57)【要約】【課題】２系統の回路のうちの何れの回路と接続されているのか判別しやすい切替開閉器を提供する。【解決手段】第１オン状態では、第２オフ表示部２６及び第１オン表示部３５が操作窓５内に露出し、第２オン状態では、第１オフ表示部２５及び第２オン表示部３６が操作窓５内に露出し、更にオフ状態では、オフ表示部材２１がオン表示部材３１を被覆して第１オフ表示部２５及び第２オフ表示部２６のみが操作窓５内に露出するようにした。したがって、操作窓５内で切替開閉器５０における回路のオン／オフ状態を表示するため、表示部に係るスペースを確保しやすく、作業者にしてみると切替開閉器５０における回路のオン／オフ状態の判別がしやすい。【選択図】図５
2015225715.tif 000002
【特許請求の範囲】
【請求項１】
本体ケースの上面に操作窓が開設されているとともに、前後方向へ回動操作可能な操作ハンドルの摘み部が、前記操作窓を介して前記本体ケースから上方へ突出しており、
前記摘み部を前側に傾倒させることにより２系統の回路のうち一方の回路と接続した第１オン状態となり、前記摘み部を後側に傾倒させることにより前記２系統の回路のうち他方の回路と接続した第２オン状態となり、更に前記摘み部を前後方向での中間位置で起立させることにより前記２系統の回路の両方と接続していないオフ状態となる切替開閉器であって、
前記摘み部を挿通可能な第１挿通孔を有するとともに、前記第１挿通孔の前側に、前記一方の回路と接続されていないことを表示する第１オフ表示部を、前記第１挿通孔の後側に前記他方の回路と接続されていないことを表示する第２オフ表示部を夫々備えたオフ表示部材と、
前記摘み部を挿通可能な第２挿通孔を有するとともに、前後方向の長さが前記オフ表示部材よりも長く形成されており、更に前記第２挿通孔の後側に、前記一方の回路と接続されていることを表示する第１オン表示部を、前記第２挿通孔の前側に前記他方の回路と接続されていることを表示する第２オン表示部を夫々備えたオン表示部材とを設け、
前記オン表示部材の上側に前記オフ表示部材を重ねた状態で、前記オン表示部材の下方から前記摘み部を前記第１挿通孔及び前記第２挿通孔に挿通させることにより、前記オフ表示部材及び前記オン表示部材を、前記本体ケース内における前記操作窓の下方において、前記操作ハンドルの回動操作に応じ、前記操作ハンドルの回動軸を中心とした円周上を前後方向へスライド可能に設置しており、
前記第１オン状態では、前記第２オフ表示部及び前記第１オン表示部が前記操作窓内に露出し、前記第２オン状態では、前記第１オフ表示部及び前記第２オン表示部が前記操作窓内に露出し、更に前記オフ状態では、前記オフ表示部材が前記オン表示部材を被覆して前記第１オフ表示部及び前記第２オフ表示部のみが前記操作窓内に露出することを特徴とする切替開閉器。
【請求項２】
前記第１挿通孔を、その開口縁が前記摘み部の周面に当接するような孔とする一方、
前記第２挿通孔を、前記摘み部の前後方向での移動を許容する遊挿孔とし、
さらに、前記オン表示部材の前後両端部に、前記オフ表示部材の前端部若しくは後端部が当接可能な被押圧部を設け、
前記オン表示部材は、前記操作ハンドルの回動操作に直接連動する前記オン表示部材により、前記被押圧部が前方若しくは後方へ押圧されることによって前後方向へスライドすることを特徴とする請求項１に記載の切替開閉器。
【発明の詳細な説明】
【技術分野】
【０００１】
本発明は、２系統の回路の切り替えを行うための切替開閉器に関するものである。
【背景技術】
【０００２】
従来、接続先を２系統の回路のうちの何れか一方へ切り替える切替開閉器には、前後方向へ回動操作可能な操作ハンドルが設けられている（たとえば特許文献１）。また、切替開閉器には、２系統の回路のうちの何れの回路と接続した状態にあるのかを表示する表示部も設けられている。そして、その表示部は、本体ケースの上面で、操作ハンドルの摘み部を本体ケースの外側へ突出させるため操作窓に隣接した位置に設けられることが多い。
【先行技術文献】
【特許文献】
【０００３】
【特許文献１】特開２００３−１２３５９７号公報
【発明の概要】
【発明が解決しようとする課題】
【０００４】
しかしながら、本体ケースの上面は、表示部として確保できるスペースに限りがあることが多く、上記従来よく見受けられる位置では表示部が小さくなってしまい、２系統の回路のうちの何れの回路と接続されているのか判別しづらいといった問題がある。
【０００５】
そこで、本発明は、上記問題に鑑みなされたものであって、２系統の回路のうちの何れの回路と接続されているのか判別しやすい切替開閉器を提供しようとするものである。
【課題を解決するための手段】
【０００６】
上記目的を達成するために、本発明のうち請求項１に記載の発明は、本体ケースの上面に操作窓が開設されているとともに、前後方向へ回動操作可能な操作ハンドルの摘み部が、前記操作窓を介して前記本体ケースから上方へ突出しており、前記摘み部を前側に傾倒させることにより２系統の回路のうち一方の回路と接続した第１オン状態となり、前記摘み部を後側に傾倒させることにより前記２系統の回路のうち他方の回路と接続した第２オン状態となり、更に前記摘み部を前後方向での中間位置で起立させることにより前記２系統の回路の両方と接続していないオフ状態となる切替開閉器であって、前記摘み部を挿通可能な第１挿通孔を有するとともに、前記第１挿通孔の前側に、前記一方の回路と接続されていないことを表示する第１オフ表示部を、前記第１挿通孔の後側に前記他方の回路と接続されていないことを表示する第２オフ表示部を夫々備えたオフ表示部材と、前記摘み部を挿通可能な第２挿通孔を有するとともに、前後方向の長さが前記オフ表示部材よりも長く形成されており、更に前記第２挿通孔の後側に、前記一方の回路と接続されていることを表示する第１オン表示部を、前記第２挿通孔の前側に前記他方の回路と接続されていることを表示する第２オン表示部を夫々備えたオン表示部材とを設け、前記オン表示部材の上側に前記オフ表示部材を重ねた状態で、前記オン表示部材の下方から前記摘み部を前記第１挿通孔及び前記第２挿通孔に挿通させることにより、前記オフ表示部材及び前記オン表示部材を、前記本体ケース内における前記操作窓の下方において、前記操作ハンドルの回動操作に応じ、前記操作ハンドルの回動軸を中心とした円周上を前後方向へスライド可能に設置しており、前記第１オン状態では、前記第２オフ表示部及び前記第１オン表示部が前記操作窓内に露出し、前記第２オン状態では、前記第１オフ表示部及び前記第２オン表示部が前記操作窓内に露出し、更に前記オフ状態では、前記オフ表示部材が前記オン表示部材を被覆して前記第１オフ表示部及び前記第２オフ表示部のみが前記操作窓内に露出することを特徴とする。
請求項２に記載の発明は、請求項１に記載の発明において、前記第１挿通孔を、その開口縁が前記摘み部の周面に当接するような孔とする一方、前記第２挿通孔を、前記摘み部の前後方向での移動を許容する遊挿孔とし、さらに、前記オン表示部材の前後両端部に、前記オフ表示部材の前端部若しくは後端部が当接可能な被押圧部を設け、前記オン表示部材は、前記操作ハンドルの回動操作に直接連動する前記オン表示部材により、前記被押圧部が前方若しくは後方へ押圧されることによって前後方向へスライドすることを特徴とする。
【発明の効果】
【０００７】
本発明によれば、操作窓内で切替開閉器における回路のオン／オフ状態を表示する、すなわち２系統の回路のうちの何れの回路と接続されているのか、それともどちらの回路とも接続されていないのかを表示することができる。そのため、表示部に係るスペースを確保しやすく、作業者にしてみると切替開閉器における回路のオン／オフ状態の判別がしやすい。
また、請求項２に記載の発明によれば、オン表示部材もオフ表示部材同様に操作ハンドルの回動操作に直接連動するような構成と比較して、オン表示部材の前後方向での長さを短く形成することができ、本体ケース内における表示部に係るスペースの省スペース化を図ることができる。
【図面の簡単な説明】
【０００８】
【図１】切替開閉器を示した説明図であって、（ａ）は斜視図、（ｂ）は上面図である。
【図２】本体ケースを構成する第１ケース部材を示した斜視説明図である。
【図３】オフ状態にある切替開閉器の内部構造を示した側面説明図である。
【図４】オフ状態にある切替開閉器の内部構造を示した側面説明図である。
【図５】第１オン状態にある切替開閉器の内部構造を示した斜視説明図である。
【図６】第１オン状態にある切替開閉器の内部構造を示した側面説明図である。
【図７】第２オン状態にある切替開閉器の内部構造を示した斜視説明図である。
【図８】第２オン状態にある切替開閉器の内部構造を示した側面説明図である。
【発明を実施するための形態】
【０００９】
以下、本発明の一実施形態となる切替開閉器について、図面にもとづき詳細に説明する。
【００１０】
図１は、切替開閉器５０を示した説明図であって、（ａ）は斜視図、（ｂ）は上面図である。図２は、本体ケース１０を構成する第１ケース部材１０ａを示した斜視説明図である。図３及び図４は、オフ状態にある切替開閉器５０の内部構造を示した側面説明図である。図５は、第１オン状態にある切替開閉器５０の内部構造を示した斜視説明図であり、図６は、第１オン状態にある切替開閉器５０の内部構造を示した側面説明図である。図７は、第２オン状態にある切替開閉器５０の内部構造を示した斜視説明図であり、図８は、第２オン状態にある切替開閉器５０の内部構造を示した側面説明図である。
【００１１】
切替開閉器５０は、３線からなる２系統の回路（図示せず）を切り替えるものであって、本体ケース１０の前部には、電線を接続可能な３つの端子金具１ａ〜１ｃを有する切替元端子１、及び同じく電線を接続可能な３つの端子金具２ａ〜２ｃを有し、２系統のうちの一方の回路が接続される第１系統端子２が設けられている。一方、本体ケース１０の後部には、電線を接続可能な３つの端子金具３ａ〜３ｃを有し、２系統のうちの他方の回路が接続される第２系統端子３が設けられている。また、本体ケース１０は、左右に４分割して形成されており、本体ケース１０の前側から見て左側の３部材（第１ケース部材１０ａ、第２ケース部材１０ｂ、及び第３ケース部材１０ｃ）が、３線からなる回路に対する切替機構を収容している。一方、本体ケース１０の前側から見て右端の第４ケース部材１０ｄは、本体ケース１０の右側面を閉塞する閉塞板として構成されている。さらに、この本体ケース１０の上面に操作窓５が開設されており、本体ケース１０内で切替機構９に連結されている操作ハンドル４の摘み部４ａが、当該操作窓５を介して本体ケース１０の外側（上側）へ突出している。なお、６（図３等に示す）は、切替機構９等を介して操作ハンドル４に連結され、操作ハンドル４の回動操作に応じて前後方向へ移動する可動接点部である。また、７（図３等に示す）は、第１系統端子２に接続された第１固定接点であり、８（図３等に示す）は、第２系統端子３に接続された第２固定接点である。
【００１２】
そして、切替開閉器５０では、操作ハンドル４の摘み部４ａを前側へ傾倒させることにより、可動接点部６が前側へ傾倒して第１固定接点７と接触し、切替元端子１と第１系統端子２とが接続された第１オン状態となる。また、摘み部４ａを後側へ傾倒させることにより、可動接点部６が後側へ傾倒して第２固定接点８と接触し、切替元端子１と第２系統端子３とが接続された第２オン状態となる。さらに、摘み部４ａを前後方向での中間位置にて起立させることにより、可動接点部６が両固定接点７、８から離隔し、切替元端子１が第１系統端子２と第２系統端子３との何れにも接続されないオフ状態となる。
【００１３】
ここで、本発明の要部となる切替開閉器５０のオン／オフ状態の表示に係る構成について詳細に説明する。
切替開閉器５０のオン／オフ状態の表示部は、操作ハンドル４の摘み部４ａに嵌着されて操作ハンドル４の回動操作に直接連動するオフ表示部材２１と、操作ハンドル４の回動操作に直接連動することはなく、オフ表示部材２１の移動に応じて動作するオン表示部材３１とを備えてなる。オフ表示部材２１は、前後方向及び左右方向の長さが操作窓５と略同じ長さ（厳密にはどちらも僅かに長い）を有する帯状に形成された上面部２２と、上面部２２の左右両側縁から下方へ延設された側面部２３、２３とを有している。そして、オフ表示部材２１は、上面部２２の前後方向での中央部が前後両端部よりも上方へ膨出する側面視円弧状、言い換えるなら操作ハンドル４の回動軸を中心とした円弧状に形成されている。また、上面部２２の前後方向での中央部には、先細り状に形成された摘み部４ａの所定の高さ位置までを挿通可能とした挿通孔２４が開設されている。さらに、挿通孔２４の前側には、切替元端子１と第１系統端子２とがオフ状態にあることを表示する第１オフ表示部２５が設けられている。加えて、挿通孔２４の後側には、切替元端子１と第２系統端子３とがオフ状態にあることを表示する第２オフ表示部２６が設けられている。
【００１４】
オン表示部材３１は、オフ表示部材２１同様、上面部３２の前後方向での中央部が前後両端部よりも上方へ膨出する側面視円弧状に曲げられており、上面部３２上をオフ表示部材２１が相対的に摺動可能となっている。また、上面部３２の前後方向への長さはオフ表示部材２１の上面部２２よりも長く、上面部３２の左右方向の長さはオフ表示部材２１の側面部２３、２３間と略同じとなっており、上面部３２の前後両端部には、オフ表示部材２１の前端面若しくは後端面が当接可能な操作突条３３が設けられている。さらに、オン表示部材３１の前後方向での中央部には、前後方向にあそびがある状態で摘み部４ａを挿通可能な遊挿孔３４が設けられている。さらにまた、遊挿孔３４の後側には、切替元端子１と第１系統端子２とがオン状態にある（第１オン状態にある）ことを表示する第１オン表示部３５が設けられている。加えて、遊挿孔３４の前側には、切替元端子１と第２系統端子３とがオン状態にある（第２オン状態にある）ことを表示する第２オン表示部３６が設けられている。
【００１５】
そして、オフ表示部材２１及びオン表示部材３１は、オン表示部材３１上にオフ表示部材２１を載置して重ねた状態で、摘み部４ａをオン表示部材３１の下方から遊挿孔３４及び挿通孔２４に挿通させた状態で、本体ケース１０内の上部における操作窓５の下側に設けられた収納空間Ｓに設置されている。この設置状態にあっては、挿通孔２４の開口縁が摘み部４ａの周面に当接しており、オフ表示部材２１は、操作ハンドル４の回動操作に直接連動して、操作ハンドル４の回動軸を中心とした円周上を前後方向へスライドすることになる。また、オフ表示部材２１の上面部２２がオン表示部材３１の上面に、オフ表示部材２１の側面部２３、２３がオン表示部材３１の側面に夫々当接しており、オン表示部材３１の上面部３２及び側面が、オフ表示部材２１のスライドを案内する案内部として機能するようになっている。一方、オン表示部材３１に関しては、操作ハンドル４を回動操作したとしても摘み部４ａは遊挿孔３４内を移動することになり、操作ハンドル４の回動操作に直接連動はしない。ただ、操作ハンドル４と共にスライドするオフ表示部材２１の前端面若しくは後端面が操作突条３３に当接し、更に操作ハンドル４と共にオフ表示部材２１が前方若しくは後方へスライドすることにより操作突条３３がオフ表示部材２１に押圧されることになり、オン表示部材３１も操作ハンドル４の回動軸を中心とした円周上を前方若しくは後方へスライドすることになる。
【００１６】
上記オフ表示部材２１及びオン表示部材３１の動作を具体的に説明すると、オフ状態である場合、オン表示部材３１の操作窓５内に位置する箇所はオフ表示部材２１により被覆されており、オフ表示部材２１のみが操作窓５内に露出する格好となる。すなわち、操作窓５内において、摘み部４ａの前側に第１オフ表示部２５が、摘み部４ａの後側に第２オフ表示部２６が夫々露出しており、作業者にしてみると、両オフ表示部２５、２６が視認可能となる。このオフ状態において、第１オン状態からオフ状態にした場合、オン表示部材３１は図３に示すような第１オン表示部３５が操作窓５の下方に位置する前側位置にある一方、第２オン状態からオフ状態にした場合、オン表示部材３１は図４に示すような第２オン表示部３６が操作窓５の下方に位置する後側位置にある。
【００１７】
ここで、図３に示すオフ状態から操作ハンドル４を前側に回動操作して第１オン状態に切り替えると、図５及び図６に示すように、オフ表示部材２１は前方へスライドし、第１オフ表示部２５が操作窓５よりも前方へ移動して本体ケース１０により被覆される格好となり、操作窓５内には第２オフ表示部２６のみが摘み部４ａの後側に露出することになる。一方、オン表示部材３１に関しては、摘み部４ａが遊挿孔３４内を前側へ移動するのみとなり、前側位置から移動しないものの、オフ表示部材２１の移動に伴って、操作窓５の下方に位置している第１オン表示部３５が操作窓５内に露出することになる。
【００１８】
また、図４に示すオフ状態から操作ハンドル４を前側に回動操作して第１オン状態に切り替えると、オフ表示部材２１は上記同様に動作する。一方、オン表示部材３１に関しては、オフ表示部材２１の前方へのスライドに伴い、前側の操作突条３３が前方へ押圧されることになり、後側位置から前側位置へ移動し、上記図５及び図６に示すような状態（すなわち第１オン表示部３５が操作窓５内に露出した状態）となる。
【００１９】
このように、操作ハンドル４を前側に回動操作して第１オン状態とすると、第２オフ表示部２６及び第１オン表示部３５が視認可能となり、切替元端子１と第１系統端子２とがオン状態であり、且つ、切替元端子１と第２系統端子３とがオフ状態である旨が表示される。
なお、第１オン状態から操作ハンドル４を後側へ回動操作してオフ状態へ切り替えると、オフ表示部材２１は、両オフ表示部２５、２６が操作窓５内に露出する上記位置に復帰する。また、オン表示部材３１に関しては、摘み部４ａが遊挿孔３４内を後側へ移動するのみとなり、前側位置のまま移動せず、図３に示す状態となる。
【００２０】
一方、図３に示すオフ状態から操作ハンドル４を後側に回動操作して第２オン状態にすると、図７及び図８に示すように、オフ表示部材２１は後方へスライドし、第２オフ表示部２６が操作窓５よりも後方へ移動して本体ケース１０により被覆される格好となり、操作窓５内には第１オフ表示部２５のみが摘み部４ａの前側に露出することになる。また、オン表示部材３１に関しては、オフ表示部材２１の後方へのスライドに伴い、後側の操作突条３３が後方へ押圧されることになるため、前側位置から後側位置へ移動し、第２オン表示部３６が操作窓５内に露出することになる。
【００２１】
さらに、図４に示すオフ状態から操作ハンドル４を後側に回動操作して第２オン状態に切り替えると、オフ表示部材２１は上記同様に動作する。一方、オン表示部材３１に関しては、摘み部４ａが遊挿孔３４内を後側へ移動するのみとなり、後側位置から移動しないものの、オフ表示部材２１の移動に伴って、操作窓５の下方に位置している第２オン表示部３６が操作窓５内に露出することになる。
【００２２】
このように、操作ハンドル４を後側に回動操作して第２オン状態とすると、第１オフ表示部２５及び第２オン表示部３６が視認可能となり、切替元端子１と第１系統端子２とがオフ状態であり、且つ、切替元端子１と第２系統端子３とがオン状態である旨が表示される。
なお、第２オン状態から操作ハンドル４を前側へ回動操作してオフ状態へ切り替えると、オフ表示部材２１は、両オフ表示部２５、２６が操作窓５内に露出する上記位置に復帰する。また、オン表示部材３１に関しては、摘み部４ａが遊挿孔３４内を前側へ移動するのみとなり、後側位置のまま移動せず、図４に示す状態となる。
【００２３】
以上のように構成される切替開閉器５０によれば、摘み部４ａを挿通可能な挿通孔２４を有するとともに、挿通孔２４の前側に、切替元端子１と第１系統端子２とがオフ状態にあることを表示する第１オフ表示部２５を、挿通孔２４の後側に、切替元端子１と第２系統端子３とがオフ状態にあることを表示する第２オフ表示部２６を夫々備えたオフ表示部材２１と、摘み部４ａを挿通可能な遊挿孔３４を有するとともに、前後方向の長さがオフ表示部材より２１も長く形成されており、更に遊挿孔３４の後側には、第１オン状態にあることを表示する第１オン表示部３５を、遊挿孔３４の前側に、第２オン状態にあることを表示する第２オン表示部３６を夫々備えたオン表示部材３１とを設け、オン表示部材３１の上側にオフ表示部材２１を重ねた状態で、オン表示部材３１の下方から摘み部４ａを挿通孔２４及び遊挿孔３４に挿通させることにより、オフ表示部材２１及びオン表示部材３１を、本体ケース１０内における操作窓５の下方において、操作ハンドル４の回動操作に応じ、操作ハンドル４の回動軸を中心とした円周上を前後方向へスライド可能に設置している。そして、第１オン状態では、第２オフ表示部２６及び第１オン表示部３５が操作窓５内に露出し、第２オン状態では、第１オフ表示部２５及び第２オン表示部３６が操作窓５内に露出し、更にオフ状態では、オフ表示部材２１がオン表示部材３１を被覆して第１オフ表示部２５及び第２オフ表示部２６のみが操作窓５内に露出するようにした。したがって、操作窓５内で切替開閉器５０における回路のオン／オフ状態を表示する、すなわち２系統の回路のうちの何れの回路と接続されているのか、それともどちらの回路とも接続されていないのかを表示することができる。そのため、表示部に係るスペースを確保しやすく、作業者にしてみると切替開閉器５０における回路のオン／オフ状態の判別がしやすい。
【００２４】
また、オフ表示部材２１の挿通孔２４を、その開口縁が摘み部４ａの周面に当接するような孔とする一方、オン表示部材３１の遊挿孔３４を、前後方向にあそびがある状態で摘み部４ａを挿通可能な孔、すなわち摘み部４ａの前後方向での移動を許容する孔とし、さらに、オン表示部材３１の前後両端部に、オフ表示部材２１の前端部若しくは後端部が当接可能な操作突条３３を設け、オン表示部材３１を、操作ハンドル４の回動操作に直接連動するオフ表示部材２１により、操作突条３３が前方若しくは後方へ押圧されることによって前後方向へスライドするように構成している。したがって、オン表示部材３１もオフ表示部材２１同様に操作ハンドル４の回動操作に連動するような構成と比較して、オン表示部材３１の前後方向での長さを短く形成することができ、本体ケース１０内における表示部に係るスペースの省スペース化を図ることができる。
【００２５】
なお、本発明に係る切替開閉器は、上記実施形態の態様に何ら限定されるものではなく、切替開閉器の全体的な構成は勿論、表示部等の構成についても、本発明の趣旨を逸脱しない範囲で、必要に応じて適宜変更することができる。
【００２６】
たとえば、上記実施形態では、オフ表示部材のみを操作ハンドルの回動操作に直接連動するように構成しているが、オン表示部材に設ける第２挿通孔を、その開口縁が摘み部の周面に当接するような挿通孔とし、オン表示部材についても、オフ表示部材同様、操作ハンドルの回動操作に直接連動するように構成してもよい。
また、上記実施形態では、被押圧部を、オン表示部材の前後両端に設けているが、被押圧部の位置や形状、更には有無についても適宜設計変更可能である。
さらに、上記実施形態では、３極からなる切替開閉器としているが、２線からなる回路を切り替える場合は２極で構成すれば良いし、本体ケースについても２つのケース部材を組み付ける等としても何ら問題はない。
【符号の説明】
【００２７】
１・・切替元端子、２・・第１系統端子、３・・第２系統端子、４・・操作ハンドル、４ａ・・摘み部、５・・操作窓、６・・可動接点部、７・・第１固定接点、８・・第２固定接点、９・・切替機構、１０・・本体ケース、２１・・オフ表示部材、２４・・挿通孔（第１挿通孔）、２５・・第１オフ表示部、２６・・第２オフ表示部、３１・・オン表示部材、３３・・操作突条（被押圧部）、３４・・遊挿孔（第２挿通孔）、３５・・第１オン表示部、３６・・第２オン表示部。
【図１】
2015225715.tif 000003
【図２】
2015225715.tif 000004
【図３】
2015225715.tif 000005
【図４】
2015225715.tif 000006
【図５】
2015225715.tif 000007
【図６】
2015225715.tif 000008
【図７】
2015225715.tif 000009
【図８】
2015225715.tif 000010